(57)【要約】      （修正有）【課題】モニタ装置と操作部とを近接させたり離したりして使用することができるＸ線透視撮影装置を提供する。【解決手段】被検者Ｐを載置する天板１１を有する検診台１０と、保持アーム３と、Ｘ線画像を表示するモニタ装置と、術者が被検者Ｐにおける目的領域のＸ線画像を観察するために天板１１及び保持アーム３の移動を操作するための操作部とを備えるＸ線透視撮影装置５０であって、操作部は、車輪により移動可能なコンソール台車２０に設けられ、モニタ装置は、車輪により移動可能なモニタ台車３０に設けられ、モニタ台車３０の前側には、コンソール台車２０の後側の左右方向の幅より大きくなる凹部が形成されており、コンソール台車２０の後部が、モニタ台車３０の凹部内に配置されることを特徴とする。【選択図】図１
0003168032.tif 000002
【実用新案登録請求の範囲】
【請求項１】
被検者を載置する天板を有する検診台と、
前記天板を挟むようにＸ線管とＸ線受光部とを対向配置して保持する保持アームと、
前記Ｘ線受光部からの信号に基づいて、Ｘ線画像を表示するモニタ装置と、
術者が被検者における目的領域のＸ線画像を観察するために天板及び保持アームの移動を操作するための操作部とを備えるＸ線透視撮影装置であって、
前記操作部は、車輪により移動可能なコンソール台車に設けられ、
前記モニタ装置は、車輪により移動可能なモニタ台車に設けられ、
前記モニタ台車の前側には、前記コンソール台車の後側の左右方向の幅より大きくなる凹部が形成されており、
前記コンソール台車の後部が、前記モニタ台車の凹部内に配置されることが可能となっていることを特徴とするＸ線透視撮影装置。
【請求項２】
前記コンソール台車は、４個の車輪とＨ字形状の脚部と支柱部とを有し、
前記車輪はＨ字形状の四隅の下面に取り付けられるとともに、前記支柱部はＨ字形状の中央部の上面に立設するように取り付けられており、前記支柱部の上端部には操作部が設けられ、
前記モニタ台車は、４個の車輪とＨ字形状の脚部と支柱部とを有し、前記車輪はＨ字形状の四隅の下面に取り付けられるとともに、前記支柱部はＨ字形状の中央部の上面に立設するように取り付けられており、前記支柱部の上端部にはモニタ装置が設けられ、
前記モニタ台車のＨ字形状の脚部の前側の左右方向の幅は、前記コンソール台車のＨ字形状の脚部の後側の左右方向の幅より大きくなっていることを特徴とする請求項１に記載のＸ線透視撮影装置。
【請求項３】
前記コンソール台車のＨ字形状の脚部の左右方向の幅は、後側から前側に向かって広がっていき、
前記モニタ台車のＨ字形状の脚部の左右方向の幅は、後側から前側に向かって広がっていくことを特徴とする請求項１又は請求項２に記載のＸ線透視撮影装置。
【考案の詳細な説明】
【技術分野】
【０００１】
本考案は、モニタ装置と操作部とを備えるＸ線透視撮影装置に関する。
【背景技術】
【０００２】
図５は、Ｘ線透視撮影装置を用いて術者が被検者の血管造影検査を行う様子を示す図である（例えば、特許文献１参照）。Ｘ線透視撮影装置１５０は、水平な平板形状の天板１１を有する検診台１０と、Ｘ線管１とＸ線受光部２とを保持する保持アーム３と、モニタ装置３１を有するモニタ台車１３０と、操作部２１を有するコンソール台車１２０と、制御部４０とを備える。
【０００３】
検診台１０は、被検者Ｐを寝させて載置するための水平な平板形状の天板１１と支柱部（図示せず）とを有する。そして、天板１１は、支柱部に対して上下方向と左右方向とに移動可能となっている。
【０００４】
保持アーム３は、天井から懸垂された支柱部（図示せず）と、支柱部に結合されたアーム保持部４とを有し、アーム保持部４の両端で天板１１を挟むようにＸ線管１とＸ線受光部（例えばフラットパネル型検出器）２とを対向配置して保持する。これにより、Ｘ線管１からＸ線がＸ線受光部２に向かって常に照射されることになる。このとき、天板１１上に被検者Ｐが載置されていれば、Ｘ線が被検者Ｐを通過する。被検者Ｐを透過したＸ線は、Ｘ線受光部２に入り電気信号に変換され、その後、電気信号が制御部４０に入力されるようになっている。
また、支柱部は、天井に取り付けられたレール（図示せず）等により、水平移動可能となるように保持されている。さらに、保持アーム３は、支柱部に対してアーム保持部４が被検者Ｐの体軸周りに回転可能となるとともに、体軸を含む面上を回転可能となるように保持されている。
【０００５】
制御部４０は、ＣＰＵ（データ処理装置）から構成される。そして、モニタ台車１３０の配線１３４とコンソール台車１２０の配線１２４とが電気的に接続されるようになっている。ＣＰＵ４１が処理する機能をブロック化して説明すると、Ｘ線受光部２からの電気信号を取得するＸ線情報取得部４１ａと、モニタ装置３１を配線１３４を介して制御するモニタ装置制御部４１ｂと、操作部２１からの電気信号を配線１２４を介して取得する操作情報取得部４１ｃと、保持アーム３及び天板１１を制御する移動体制御部４１ｄとを有する。
【０００６】
ここで、図６は、図５に示すコンソール台車１２０とモニタ台車１３０との一例を示す斜視図である。
コンソール台車１２０は、直方体状の筐体部１２２と、筐体部１２２の下面の四隅に取り付けられた４個の車輪１２３と、制御部４０に電気的に接続するための配線１２４と、操作部２１とを有する。
操作部２１は、コンソール台車１２０の上面に設けられており、第一操作レバー２１ａと第二操作レバー２１ｂとを有する。そして、術者Ｍが第一操作レバー２１ａを操作すれば、天板１１を上下方向に移動させたり、左右方向に移動させたりすることができるようになっている。また、術者Ｍが第二操作レバー２１ｂを操作すれば、保持アーム３を上下方向に移動させたり、左右方向に移動させたりすることができるようになっている。
そして、コンソール台車１２０は４個の車輪１２３により術者Ｍによって押されることで移動可能になっている。
【０００７】
モニタ台車１３０は、直方体状の筐体部１３２と、筐体部１３２の下面の四隅に取り付けられた４個の車輪１３３と、制御部４０に電気的に接続するための配線１３４と、モニタ装置３１とを有する。
モニタ装置３１は、モニタ台車１３０の上面に立設するように設けられており、制御部４０のモニタ装置制御部４１ｂからの電気信号に基づいて、Ｘ線画像等を表示したり、Ｘ線管１やＸ線受光部２の位置情報やエラーメッセージ等を表示したりする。
そして、モニタ台車１３０は、４個の車輪１３３により術者Ｍによって押されることで移動可能になっている。
【０００８】
このようなＸ線透視撮影装置１５０によれば、被検者Ｐの透視と撮影とを行うとき、第一の術者Ｍ１や第二の術者Ｍ２は、検診台１０の天板１１上に被検者Ｐを寝かせるように載置する際に、邪魔にならないように検診台１０の遠方にモニタ台車１３０やコンソール台車１２０を配置する。その後、第一の術者Ｍ１と第二の術者Ｍ２とは、コンソール台車１２０を第二の術者Ｍ２前に配置するとともに、モニタ台車１３０を第一の術者Ｍ１と第二の術者Ｍ２との間に配置する。そして、被検者Ｐの目的領域のＸ線画像を観察するために、第一の術者Ｍ１は、モニタ装置３１に表示されたＸ線画像や被検者Ｐの状態を観察し、第二の術者Ｍ２は、モニタ装置３１に表示されたＸ線画像を観察しながら操作部３１を操作することで天板１１や保持アーム３を移動させることにより、被検者Ｐにおける撮影部位を撮影に適した位置に配置している。
【先行技術文献】
【特許文献】
【０００９】
【特許文献１】特開２００６−０５１４０３号公報
【考案の概要】
【考案が解決しようとする課題】
【００１０】
しかしながら、上述したようなモニタ台車１３０やコンソール台車１２０では、一人の術者Ｍが被検者Ｐの透視と撮影とを行わなければならないとき、モニタ装置３１と操作部２１との両方を使用することになるが、筐体部１２２、１３２の形状が直方体であるので、モニタ装置３１と操作部２１とを近接させるにも限界があり、非常に使いづらかった。
そこで、本考案は、モニタ装置と操作部とを近接させたり離したりして使用することができるＸ線透視撮影装置を提供することを目的とする。
【課題を解決するための手段】
【００１１】
上記課題を解決するためになされた本考案のＸ線透視撮影装置は、被検者を載置する天板を有する検診台と、前記天板を挟むようにＸ線管とＸ線受光部とを対向配置して保持する保持アームと、前記Ｘ線受光部からの信号に基づいて、Ｘ線画像を表示するモニタ装置と、術者が被検者における目的領域のＸ線画像を観察するために天板及び保持アームの移動を操作するための操作部とを備えるＸ線透視撮影装置であって、前記操作部は、車輪により移動可能なコンソール台車に設けられ、前記モニタ装置は、車輪により移動可能なモニタ台車に設けられ、前記モニタ台車の前側には、前記コンソール台車の後側の左右方向の幅より大きくなる凹部が形成されており、前記コンソール台車の後部が、前記モニタ台車の凹部内に配置されることが可能となっているようにしている。
【００１２】
本考案のＸ線透視撮影装置によれば、モニタ台車の前側には、コンソール台車の後側の左右方向の幅より大きくなる凹部が形成されている。これにより、モニタ装置と操作部とを近接させて使用したいときには、コンソール台車の後部をモニタ台車の凹部内に配置する。
【考案の効果】
【００１３】
以上のように、本考案のＸ線透視撮影装置によれば、モニタ装置と操作部とを近接させたり離したりして使用することができる。
【００１４】
（その他の課題を解決するための手段及び効果）
また、本考案のＸ線透視撮影装置は、前記コンソール台車は、４個の車輪とＨ字形状の脚部と支柱部とを有し、前記車輪はＨ字形状の四隅の下面に取り付けられるとともに、前記支柱部はＨ字形状の中央部の上面に立設するように取り付けられており、前記支柱部の上端部には操作部が設けられ、前記モニタ台車は、４個の車輪とＨ字形状の脚部と支柱部とを有し、前記車輪はＨ字形状の四隅の下面に取り付けられるとともに、前記支柱部はＨ字形状の中央部の上面に立設するように取り付けられており、前記支柱部の上端部にはモニタ装置が設けられ、前記モニタ台車のＨ字形状の脚部の前側の左右方向の幅は、前記コンソール台車のＨ字形状の脚部の後側の左右方向の幅より大きくなっているようにしてもよい。
本考案のＸ線透視撮影装置によれば、コンソール台車とモニタ台車とを安定させて移動させることができる。
【００１５】
さらに、本考案のＸ線透視撮影装置は、前記コンソール台車のＨ字形状の脚部の左右方向の幅は、後側から前側に向かって広がっていき、前記モニタ台車のＨ字形状の脚部の左右方向の幅は、後側から前側に向かって広がっていくようにしてもよい。
本考案のＸ線透視撮影装置によれば、コンソール台車の前部内に術者は足を配置することができる。
【図面の簡単な説明】
【００１６】
【図１】本考案の一実施形態であるＸ線透視撮影装置を用いて術者が被検者の血管造影検査を行う様子を示す図である。
【図２】図１に示すコンソール台車とモニタ台車との一例を示す斜視図である。
【図３】図１に示すコンソール台車とモニタ台車との一例を示す斜視図である。
【図４】図３に示すコンソール台車とモニタ台車との平面図である。
【図５】従来のＸ線透視撮影装置を用いて術者が被検者の血管造影検査を行う様子を示す図である。
【図６】図５に示すコンソール台車とモニタ台車との一例を示す斜視図である。
【考案を実施するための形態】
【００１７】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００１８】
図１は、本考案の一実施形態であるＸ線透視撮影装置を用いて術者が被検者の血管造影検査を行う様子を示す図である。また、図２及び図３は、図１に示すコンソール台車とモニタ台車との一例を示す斜視図であり、図４は、図３に示すコンソール台車とモニタ台車との平面図である。なお、Ｘ線透視撮影装置１５０と同様のものについては、同じ符号を付している。
Ｘ線透視撮影装置５０は、水平な平板形状の天板１１を有する検診台１０と、Ｘ線管１とＸ線受光部２とを保持する保持アーム３と、モニタ装置３１を有するモニタ台車３０と、操作部２１を有するコンソール台車２０と、制御部４０とを備える。
【００１９】
コンソール台車２０は、筐体部２２と、筐体部２２の下面の四隅に取り付けられた４個の車輪２３と、制御部４０に電気的に接続するための配線２４と、操作部２１とを有する。
筐体部２２は、平面視でＨ字形状の脚部２２ａと、円柱形状の支柱部２２ｂとを有する。Ｈ字形状の脚部２２ａの左右方向の幅は、後側（下端）から前側（上端）に向かって広がっていくようになっており、後側がＬ１（３０ｃｍ）と狭くなるとともに、前側がＬ２（４０ｃｍ）と広くなっている。支柱部２２ｂは、高さＨ１（９０ｃｍ）となっており、支柱部２２ｂの下端部はＨ字形状の脚部２２ａの中央部の上面に取り付けられおり、支柱部２２ｂの上端部には、操作部２１が設けられている。４個の車輪２３は、Ｈ字形状の四隅の下面に取り付けられている。
【００２０】
モニタ台車３０は、筐体部３２と、筐体部３２の下面の四隅に取り付けられた４個の車輪３３と、制御部４０に電気的に接続するための配線３４と、モニタ装置３１とを有する。
筐体部３２は、平面視でＨ字形状の脚部３２ａと、円柱形状の支柱部３２ｂとを有する。Ｈ字形状の脚部３２ａの左右方向の幅は、後側（下端）から前側（上端）に向かって広がっていくようになっており、後側がＬ４（４０ｃｍ）と狭くなるとともに、前側がＬ３（５０ｃｍ）と広くなっている。支柱部３２ｂは、高さＨ２（１００ｃｍ）となっており、支柱部３２ｂの下端部はＨ字形状の脚部３２ａの中央部の上面に取り付けられおり、支柱部３２ｂの上端部には、モニタ装置３１が立設するように設けられている。４個の車輪３３は、Ｈ字形状の四隅の下面に取り付けられる。
【００２１】
モニタ台車３０のＨ字形状の脚部３２ａの前側の左右方向の幅Ｌ３は、コンソール台車２０のＨ字形状の脚部２２ａの後側の左右方向の幅Ｌ１より大きくなっている。これにより、コンソール台車２０の後部が、モニタ台車３０のＨ字形状の脚部３２ａの前側に形成される凹部３２ｃ内に配置されることが可能となっている。つまり、モニタ装置３１と操作部２１とを近接させて使用することができる。
また、コンソール台車２０のＨ字形状の脚部２２ａの前側に形成される凹部２２ｃ内に術者Ｍは足を配置することが可能となっている。
【００２２】
このようなＸ線透視撮影装置５０によれば、第一の術者Ｍ１と第二の術者Ｍ２とで被検者Ｐの透視と撮影とを行うとき、第一の術者Ｍ１と第二の術者Ｍ２とは、検診台１０の天板１１上に被検者Ｐを寝かせるように載置する際に、邪魔にならないように検診台１０の遠方にモニタ台車３０やコンソール台車２０を配置する。その後、第一の術者Ｍ１と第二の術者Ｍ２とは、コンソール台車２０を第二の術者Ｍ２前に配置するとともに、モニタ台車３０を第一の術者Ｍ１と第二の術者Ｍ２との間に配置する。そして、被検者Ｐの目的領域のＸ線画像を観察するために、第一の術者Ｍ１は、モニタ装置３１に表示されたＸ線画像や被検者Ｐの状態を観察し、第二の術者Ｍ２は、モニタ装置３１に表示されたＸ線画像を観察しながら操作部３１を操作することで天板１１や保持アーム３を移動させることにより、被検者Ｐにおける撮影部位を撮影に適した位置に配置している。
【００２３】
一方、第一の術者Ｍ１一人で被検者Ｐの透視と撮影とを行うとき、第一の術者Ｍ１は、検診台１０の天板１１上に被検者Ｐを寝かせるように載置する際に、邪魔にならないように検診台１０の遠方にモニタ台車３０やコンソール台車２０を配置する。その後、第一の術者Ｍ１は、コンソール台車２０の後部を、モニタ台車３０のＨ字形状の脚部３２ａの前側に形成される凹部３２ｃ内に配置する。そして、被検者Ｐの目的領域のＸ線画像を観察するために、第一の術者Ｍ１は、モニタ装置３１に表示されたＸ線画像や被検者Ｐの状態を観察しながら操作部３１を操作することで天板１１や保持アーム３を移動させることにより、被検者Ｐにおける撮影部位を撮影に適した位置に配置している。
【００２４】
以上のように、Ｘ線透視撮影装置５０によれば、モニタ装置３１と操作部２１とを近接させたり離したりして使用することができる。
【産業上の利用可能性】
【００２５】
本考案は、Ｘ線透視撮影装置等に利用することができる。
【符号の説明】
【００２６】
１：Ｘ線管
２：Ｘ線受光部
３：保持アーム
１０：検診台
１１：天板
２０：コンソール台車
２１：操作部
２２，３２：車輪
３０：モニタ台車
３１：モニタ装置
５０：Ｘ線透視撮影装置
【図１】
0003168032.tif 000003
【図２】
0003168032.tif 000004
【図３】
0003168032.tif 000005
【図４】
0003168032.tif 000006
【図５】
0003168032.tif 000007
【図６】
0003168032.tif 000008